(57)【要約】　　　（修正有）【課題】複数スイッチの同時押下が可能であり、かつ誤ってスイッチが押下されにくいキースイッチを提供する。【解決手段】ｎ個のスイッチ６と、このスイッチに接触する裏面、表面となる操作面、この操作面と前記裏面に挟まれた外周側面を有し、押下部に隣接する前記スイッチ６との接触点を支点としてスイッチ上の操作面を押す通常押下とスイッチ上以外の操作面を押す斜め押下が可能に設けられた操作キー２と、この操作キー２の外周側面に、前記スイッチ６に対応してそれぞれ外方へ突出して形成されたｎ個の突起部９と、前記操作キーを設ける窓を有するケース部材１を備え、このケース部材１の窓１ａにおける前記操作キーの突起部と対向する端面が、前記操作キー通常押下の場合は当該突起部に接触せず、前記操作キー斜め押下の場合に当該突起部に接触する凹曲面１０を有する。【選択図】　　　　図３
2004055188.tif 000002
【特許請求の範囲】
【請求項１】
一つの点に対しそれぞれが他のいずれかと点対称となるように配置されたｎ個（ｎは４以上の偶数）のスイッチ、
このスイッチに接触する裏面、表面となる操作面、この操作面と前記裏面に挟まれた外周側面を有し、押下部に隣接する前記スイッチとの接触点を支点としてスイッチ上の操作面を押す通常押下とスイッチ上以外の操作面を押す斜め押下が可能に設けられた操作キー、
この操作キーの外周側面に、前記スイッチに対応してそれぞれ外方へ突出して形成されたｎ個の突起部、及び
前記操作キーを設ける窓を有するケース部材を備え、
このケース部材の窓における前記操作キーの突起部と対向する端面が、前記操作キー通常押下の場合は当該突起部に接触せず、前記操作キー斜め押下の場合に当該突起部に接触する凹曲面を有することを特徴とするキースイッチ。
【請求項２】
前記突起部は、前記ケース部材の凹曲面と同じ曲率を有する凸曲面を有することを特徴とする請求項１に記載のキースイッチ。
【請求項３】
前記突起部は、ドーム状の形状を有することを特徴とする請求項１に記載のキースイッチ。
【請求項４】
一つの点に対しそれぞれが他のいずれかと点対称となるように配置されたｎ個（ｎは４以上の偶数）のスイッチ、
このスイッチに接触する裏面、表面となる操作面、この操作面と前記裏面に挟まれた外周側面を有し、押下部に隣接する前記スイッチとの接触点を支点としてスイッチ上の操作面を押す通常押下とスイッチ上以外の操作面を押す斜め押下が可能に設けられた操作キー、
この操作キーの外周側面に、前記スイッチに対応してそれぞれ外方へ突出して形成されたｎ個の突起部、
前記ｎ個のスイッチそれぞれに接続され、当該スイッチの各１個の押下および隣り合う２個の同時押下を検出するスイッチ検出部、
前記スイッチの各１個の押下と隣り合う２個の同時押下に関する情報を表示する表示部、及び
この表示部を設ける表示部用窓と前記操作キーを設ける操作キー用窓を有する筐体を備え、
この操作キー用窓における前記操作キーの突起部と対向する端面が、前記操作キー通常押下の場合は当該突起部に接触せず、前記操作キー斜め押下の場合に当該突起部に接触する凹曲面を有することを特徴とする電子機器。
【請求項５】
前記突起部は、前記凹曲面と同じ曲率を有する凸曲面を有することを特徴とする請求項４に記載の電子機器。
【請求項６】
前記突起部は、ドーム状の形状を有することを特徴とする請求項４に記載の電子機器。
【発明の詳細な説明】
【０００１】
【発明の属する技術分野】
この発明は、複数のスイッチを、各１個又は複数同時に押下可能な操作キーを有するキースイッチ及び、このキースイッチを備えた電子機器に関する。
【０００２】
【従来の技術】
図８は、従来のキースイッチを示した正面図（図８（ａ））及び側面図（図８（ｂ））である。図において、３１はケース部材である筐体（一部を示す）であり、３１ａは筐体３１に設けられた操作キー３２用の窓である。操作キー３２は、表面である操作面と裏面と外周側面からなる円盤状のキーであり、窓３１ａの端面と操作キー３２の外周側面との間には、操作キー３２を押下可能なように間隙が設けられている。３５は筐体１に内蔵された基板、３６ａ、３６ｂ、３６ｃ、３６ｄは基板３５上に実装されたスイッチである。４個のスイッチ３６ａ、３６ｂ、３６ｃ、３６ｄは、操作キー３２の中心と重なる基板上の点を中心とした円周上に、等間隔に実装されている。３７は操作キー３２の裏面に設けられたシートであり、４個のスイッチ３６ａ、３６ｂ、３６ｃ、３６ｄと接する部分に突起部３７ａ、３７ｂ、３７ｃ、３７ｄを備えている。３８ａ、３８ｂ、３８ｃ、３８ｄは、操作キー３２の外周側面に外方へ突出して形成された突起部であり、各スイッチ３６ａ、３６ｂ、３６ｃ、３６ｄに対応して設けられている。また、基板３５上には、各スイッチ３６ａ〜３６ｄに接続され、各スイッチ１個の押下又は隣り合うスイッチ２個の同時押下、すなわち８パターンの押下を検出するスイッチ検出部（図示なし）が設けられている。
【０００３】
次に動作について説明する。操作者は上記８パターンの何れかの操作を行うために、操作キー３２の操作面を押す。例えば、スイッチ３６ｄ上の操作面が押された場合（通常押下）、操作キー３２はスイッチ３６ａに接する点及び３６ｂに接する点を支点としてスイッチ３６ｄ上部分が押し下げられ、スイッチ３６ｃ上部分が押し上げられるように傾く。そして、スイッチ３６ｄが突起部３７ｄによって押下され、スイッチ検出部がスイッチ６３ｄの押下を検出する。
【０００４】
ここで、操作者がスイッチ３６ａと３６ｃの同時押下で実行されるパターンを選択するために、操作キー３２のスイッチ３６ａ上とスイッチ３６ｃ上にはさまれた部分を押すとする。このとき、スイッチ３６ａ上とスイッチ３６ｃ上のちょうど中間点が押された場合（斜め押下１）は、操作キー３２は初めスイッチ３６ａに接する点及び３６ｃに接する点を支点として押された部分が押し下げられ、スイッチ３６ｂ上とスイッチ３６ｄ上の中間部分が押し上げられるように傾く。さらに押されると、操作キー３２外周側面の突起部３８ｂ及び３８ｄが筐体３１に接することで操作キー３２にスイッチ押下方向の力が加わり、支点となっていたスイッチ３６ａと３６ｃがそれぞれ突起部３７ａ、３７ｃによって押下される。そして、スイッチ検出部がスイッチ３６ａと３６ｃの同時押下を検出する。
【０００５】
一方、操作者がスイッチ３６ａ上とスイッチ３６ｃ上の中間点よりスイッチ３６ａ側の操作面を押した場合（斜め押下２）、操作キー３２は初めスイッチ３６ａに接する点及び３６ｃに接する点を支点として押された部分が押し下げられ、スイッチ３６ｂ上とスイッチ３６ｄ上の中間部分が押し上げられるように傾く。このとき、支点となっているスイッチ３６ａには３６ｃより強い押下方向の力が加わるが、オンはされない。さらに押されると、外周側面の突起部３８ｂ、３８ｄが筐体３１に接し、接触荷重が分散され、突起部３８ｄと突起部３８ｂに均等なスイッチ押下方向の力が加わる。これにより、前述の斜め押下１と同様の状態になり、スイッチ３６ａと３６ｃがそれぞれ突起部３７ａ、３７ｃによって均等に押下され、スイッチ検出部が同時押下を検出する。
【０００６】
【発明が解決しようとする課題】
上記のように、従来のキースイッチでは、操作キー３２の外周側面に突起部３８ａ〜３８ｄを設け、これらを筐体３１と接触するように構成することで、同時押下したい２個のスイッチの中間点以外の操作面を押した場合（上記斜め押し２）にも２個のスイッチの同時押下を検出可能としていた。
【０００７】
しかし、上記の動作を実現するために、突起部３８と筐体３１とを近接配置する必要がある。図９は、図８と同じ従来のキースイッチが、筐体３１の一部を押された場合の正面図（図９（ａ））及び側面図（図９（ｂ））を示している。図に示すとおり、突起部３８と重なる筐体３１の表面部分３９が押されると、筐体３１と突起部３８が接触し突起部３８が押されることで操作キー３２が押され、誤ってスイッチ３６ａが押下されてしまうという問題があった。
【０００８】
この発明は上記のような問題点を解決するためになされたもので、第１の目的は、複数スイッチの同時押下が可能であり、かつ誤ってスイッチが押下されにくいキースイッチを得ることである。
【０００９】
また、この発明の第２の目的は、各１個のスイッチの押下及び複数スイッチの同時押下を容易に検出可能であり、かつ誤ってスイッチの押下が検出されにくい電子機器を得ることである。
【００１０】
【課題を解決するための手段】
請求項１の発明に係るキースイッチは、一つの点に対しそれぞれが他のいずれかと点対称となるように配置されたｎ個（ｎは４以上の偶数）のスイッチ、このスイッチに接触する裏面、表面となる操作面、この操作面と前記裏面に挟まれた外周側面を有し、押下部に隣接する前記スイッチとの接触点を支点としてスイッチ上の操作面を押す通常押下とスイッチ上以外の操作面を押す斜め押下が可能に設けられた操作キー、この操作キーの外周側面に、前記スイッチに対応してそれぞれ外方へ突出して形成されたｎ個の突起部、及び前記操作キーを設ける窓を有するケース部材を備え、このケース部材の窓における前記操作キーの突起部と対向する端面が、前記操作キー通常押下の場合は当該突起部に接触せず、前記操作キー斜め押下の場合に当該突起部に接触する凹曲面を有するものである。
【００１１】
また、請求項２の発明に係るキースイッチは、請求項１のキースイッチであって、前記突起部が、前記ケース部材の凹曲面と同じ曲率を有する凸曲面を有する。
【００１２】
また、請求項３の発明に係るキースイッチは、請求項１のキースイッチであって、前記突起部が、ドーム状の形状を有する。
【００１３】
また、請求項４の発明に係る電子機器は、一つの点に対しそれぞれが他のいずれかと点対称となるように配置されたｎ個（ｎは４以上の偶数）のスイッチ、このスイッチに接触する裏面、表面となる操作面、この操作面と前記裏面に挟まれた外周側面を有し、押下部に隣接する前記スイッチとの接触点を支点としてスイッチ上の操作面を押す通常押下とスイッチ上以外の操作面を押す斜め押下が可能に設けられた操作キー、この操作キーの外周側面に、前記スイッチに対応してそれぞれ外方へ突出して形成されたｎ個の突起部、前記ｎ個のスイッチそれぞれに接続され、当該スイッチの各１個の押下および隣り合う２個の同時押下を検出するスイッチ検出部、前記スイッチの各１個の押下と隣り合う２個の同時押下に関する情報を表示する表示部、及びこの表示部を設ける表示部用窓と前記操作キーを設ける操作キー用窓を有する筐体を備え、この操作キー用窓における前記操作キーの突起部と対向する端面が、前記操作キー通常押下の場合は当該突起部に接触せず、前記操作キー斜め押下の場合に当該突起部に接触する凹曲面を有するものである。
【００１４】
また、請求項５の発明に係る電子機器は、請求項４の電子機器であって、前記突起部が、前記凹曲面と同じ曲率を有する凸曲面を有する。
【００１５】
さらに、請求項６の発明に係る電子機器は、請求項４の電子機器であって、前記突起部が、ドーム状の形状を有する。
【００１６】
【発明の実施の形態】
実施の形態１．
以下、この発明の実施の形態１を図に基づいて説明する。図１は、この発明に係るキースイッチを備えた電子機器である携帯電話機を示す斜視図である。図において、１は携帯電話機の筐体（ケース部材）であり、操作キー２、表示部３、操作ボタン４を備えるための窓が設けられている。操作キー２は、表面である操作面と裏面と外周側面からなる円盤状のキーであり、筐体１の窓には固定されず操作面を押下可能に設けられている。表示部３は、操作キー２の操作に関する情報や、操作キー２及び操作ボタン４の操作結果に対応した情報を表示する。操作ボタン４は、テンキー、ファンクションキー等を含み、電話番号等の入力に用いられる。
【００１７】
図２は、筐体１に内蔵されたこの発明に係るキースイッチ構造を示す分解斜視図であり、図において、５は基板、６は基板５上に実装されたスイッチである。スイッチ６は、所定値以上の押下方向の力によりつぶれるドーム板１８と、このドーム板１８がつぶれることによりオンされる基板上のスイッチパターン（図示なし）から構成される。４個のスイッチ６は、操作キー２の中心と重なる基板上の点を中心とした円周上に、等間隔に実装されている。７は操作キー２の裏面に設けられたシートであり、４個のスイッチ６と接する部分にそれぞれ４個の突起部７ａ、７ｂ、７ｃ、７ｄを備えている。シート７の一部を筐体１の内側に固定することにより、操作キー２は、筐体１に操作可能に設けられる。シート７は、操作キー２の裏面に貼り付けられてもよいし、操作キー２と一体成形されてもよい。また、基板５上には、各スイッチ６に接続され、各スイッチ１個の押下（スイッチオン）又は隣り合うスイッチ２個の同時押下（スイッチオン）、すなわち８パターンの押下を検出するスイッチ検出部（図示なし）が設けられている。
【００１８】
図３は、筐体１に実装された操作キー２及びその周辺部を示しており、図３（ａ）は正面図、図３（ｂ）はＡ−Ａ’での側面図である。図１及び図２に示す符号と同じ符号のものは、同じ構成を示す。図において、１ａは筐体１に設けられた操作キー２用の窓であり、窓１ａの端面と操作キー２の外周側面との間には、操作キー２を押下可能なように間隙が設けられている。６ａ、６ｂ、６ｃ、６ｄは、各スイッチ６を示しており、これらに対応してシート７には突起部７ａ、７ｂ、７ｃ、７ｄが備えられている。８ａ、８ｂ、８ｃ、８ｄは、操作キー２の外周側面に外方へ突出して形成された庇部であり、各スイッチ６ａ、６ｂ、６ｃ、６ｄに対応した位置に設けられている。庇部８ａ〜８ｄには、曲面を有する突起部９ａ、９ｂ、９ｃ、９ｄがそれぞれ設けられている。また、筐体１の窓１ａの端面には、突起部９ａ〜９ｄの曲面と同じ曲率の凹曲面１０ａ、１０ｂ、１０ｃ、１０ｄがそれぞれ突起部９ａ〜９ｄに対応する位置に形成されている。１１が正面図に対応する座標軸であり、１２はＡ−Ａ’での側面図に対応する座標軸である。
【００１９】
座標軸１１、１２に示すように、スイッチ６ｃから６ｄへ向かう方向を＋ｘ方向、スイッチ６ｂから６ａへ向かう方向を＋ｙ方向、スイッチ６の押下方向を＋ｚ方向とすると、突起部９ａの曲面は、ｙ−ｚ面の断面が曲線となり、ｘ−ｙ面、ｚ−ｘ面の断面が直線となる形状を有している。突起部９ｂ〜９ｄの曲面も同様の形状を有している。また、凹曲面１０ａも、ｙ−ｚ面の断面が曲線となり、ｘ−ｙ面、ｚ−ｘ面の断面が直線となる。凹曲面１０ｂ〜１０ｄも同様である。操作キー２は、筐体１に対し、突起部９ａ〜９ｄがそれぞれ凹曲面１０ａ〜１０ｄと、スイッチ６の押下変移分程度の間隙を持つように設置されている。
【００２０】
図４は、図３と同様、筐体１に実装された操作キー２及びその周辺部を示しており、図４（ａ）は正面図、図４（ｂ）はＡ−Ａ’での側面図で、操作キー２の操作面のスイッチ６ａ上部分１３が押された状態（通常押下）を示している。図５も、図３、図４と同様、筐体１に実装された操作キー２及びその周辺部を示しており、図５（ａ）は正面図、図５（ｂ）はＡ−Ａ’での側面図、図５（ｃ）はＢ−Ｂ’での側面図である。図５は、操作キー２の操作面のスイッチ６ｂ上とスイッチ６ｄ上の中間部１４が押された状態（斜め押下）を示している。１９はＢ−Ｂ’での側面図に対応する座標軸である。
【００２１】
次に動作について説明する。表示部３には、各スイッチ６ａ、６ｂ、６ｃ、６ｄがそれぞれ押下される４パターンと、隣り合うスイッチ２個（例えば６ａと６ｃ）が同時に押下される４パターンの計８パターンについての情報が表示される。操作者はこの情報に基づき、上記８パターンの何れかを選択するために、操作キー２の操作面を押す。まず、図４を用いて通常押下の場合を説明する。操作キー２の操作面のスイッチ６ａ上部分１３が押された場合、操作キー２はスイッチ６ｃに接する点及び６ｄに接する点を支点としてスイッチ６ａ上部分１３が押し下げられ、スイッチ６ｂ上部分が押し上げられるように傾く。そして、スイッチ６ａが突起部７ａによって押下され、ドーム板の許容応力を超えてドーム板１８がつぶれた時スイッチ検出部がスイッチ６ａの押下（スイッチオン）を検出する。このとき、突起部９ｂが筐体１に接近するが、凹曲面１０ｂが形成されているので操作キー２は筐体１に接触しない。
【００２２】
次に、操作者がスイッチ６ｂと６ｄの同時押下で実行されるパターンを選択するために、操作キー２のスイッチ６ｂ上とスイッチ６ｄ上にはさまれた部分を押す斜め押下の場合を、図５を用いて説明する。スイッチ６ｂ上とスイッチ６ｄ上の中間部１４が押された場合、操作キー２は初めスイッチ６ｂに接する点及び６ｄに接する点を支点として押された部分が押し下げられ、スイッチ６ａ上とスイッチ６ｃ上の中間部分が押し上げられるように傾く。このとき、操作キー２外周側面の突起部９ａ、９ｃが筐体１に接近する。さらに押されると、突起部９ａ及び９ｃがそれぞれ凹曲面１０ａ、１０ｃに接触する。これは、操作キー２がスイッチ６ｂに接する点及び６ｄに接する点を支点として傾くため、通常押下より突起部９ａ、９ｃが上（−ｚ軸方向）へ持ち上げられること、及びその曲面の形状により、突起部９ａ、９ｃが斜めに持ちあがる場合には凹曲面１０ａ、１０ｃと接触することによる。これにより、操作キー２にスイッチ押下方向の力が加わり、支点となっていたスイッチ６ｂと６ｄがそれぞれ突起部７ｂ、７ｄによって押下され、ドーム板１８の許容抗力を超えた時ドーム板１８がつぶれることにより、スイッチ検出部がスイッチ６ｂと６ｄの同時押下（スイッチオン）を検出する。
【００２３】
一方、操作者がスイッチ６ｂ上とスイッチ６ｄ上の中間点よりスイッチ６ｂ側の操作面を押した場合、操作キー２は初めスイッチ６ｂに接する点及び６ｄに接する点を支点として、スイッチ６ａ上とスイッチ６ｃ上の中間部分が押し上げられるように傾く。このとき、支点となっているスイッチ６ｂには６ｄより強い押下方向の力が加わるが、ドーム板１８の許容抗力を超えておらずスイッチ６ｂはオンされない。さらに操作面が押されると、外周側面の突起部９ａ、９ｃが凹曲面１０ａ、１０ｃに接し、接触荷重が分散され、突起部９ａと突起部９ｃに均等なスイッチ押下方向の力が加わる。これにより、前述の図５と同様の状態になり、スイッチ６ｂと６ｄがそれぞれ突起部７ｂ、７ｄによって均等に押下され、ドーム板１８の許容抗力を超えた時ドーム板１８がつぶれることにより、スイッチ検出部が同時押下（スイッチオン）を検出する。
【００２４】
以上の構成により、同時押下したい隣り合う２個のスイッチの中間点を押下したときはもとより、当該中間点からずれた操作面を押下した場合にも、スイッチ２個の同時押下を検出することが可能となり、操作者に対し使い勝手のよいキースイッチを実現できる。
【００２５】
また、図６は、図４と同じキースイッチが、筐体１の一部を押された場合の正面図（図６（ａ））及び側面図（図６（ｂ））を示している。図に示すとおり、突起部９ａと重なる筐体１の表面近傍部分１５が押された場合、筐体１がたわみ端部が突起部９ａと接近するが、端部には凹曲面１０ａが形成されているため、突起部９ａと接触しにくく、スイッチ６ａが誤って押下されない。これにより、誤って筐体１が押された場合のスイッチ６の誤動作を防ぐことが可能となる。
【００２６】
尚、本実施の形態１において、４個のスイッチ６ａ〜６ｄは、円周上で等間隔となるよう実装されていたが、これに限らず、一つの点に対し、各２個のスイッチが点対称となるように実装された偶数個のスイッチの場合にも、それぞれのスイッチに対応する部分に突起部９及び凹曲面１０を設けることにより、本実施の形態１と同様の効果が得られる。また、操作キー２は円盤状に限らず、操作面が四角形など他の形でも実現できる。
【００２７】
実施の形態２．
以下に、この発明の実施の形態２を説明する。本実施の形態２に係るキースイッチを備えた携帯電話機の構成は、図１に示すものと同様であり、キースイッチ構造は、図２に示すものと同様であるので、ここでは説明を繰り返さない。
【００２８】
図７は、筐体１に実装された操作キー２及びその周辺部を示しており、図７（ａ）は正面図、図７（ｂ）はＡ−Ａ’での側面図である。図１、図２及び図３に示す符号と同じ符号のものは、同じ構成を示す。図において、庇部８ａ〜８ｄには、ドーム状の曲面を有する突起部１６ａ、１６ｂ、１６ｃ、１６ｄがそれぞれ設けられている。また、筐体１の窓１ａの端面には、凹曲面１７ａ、１７ｂ、１７ｃ、１７ｄがそれぞれ突起部１６ａ〜１６ｄに対応する位置に形成されている。凹曲面１７ａは、ｙ−ｚ面の断面が曲線となり、ｘ−ｙ面、ｚ−ｘ面の断面が直線となる。凹曲面１７ｂ〜１７ｄも同様の形状である。操作キー２は、筐体１に対し、突起部１６ａ〜１６ｄがそれぞれ凹曲面１７ａ〜１７ｄと、スイッチ６の押下変移分程度の間隙を持つように設置されている。
【００２９】
次に動作について説明する。表示部３には、各スイッチ６ａ、６ｂ、６ｃ、６ｄがそれぞれ押下される４パターンと、隣り合うスイッチ２個（例えば６ａと６ｃ）が同時に押下される４パターンの計８パターンについての情報が表示される。操作者はこの情報に基づき、上記８パターンの何れかを選択するために、操作キー２の操作面を押す。各スイッチ１個を押下する通常押下の場合、例えば操作キー２の操作面のスイッチ６ａ上部分が押されると、操作キー２はスイッチ６ｃに接する点及び６ｄに接する点を支点としてスイッチ６ａ上部分が押し下げられ、スイッチ６ｂ上部分が押し上げられるように傾く。そして、スイッチ６ａが突起部７ａによって押下され、ドーム板の許容応力を超えてドーム板１８がつぶれた時スイッチ検出部がスイッチ６ａの押下（スイッチオン）を検出する。このとき、突起部１６ｂが筐体１に接近するが、凹曲面１７ｂが形成されているので操作キー２は筐体１に接触しない。
【００３０】
また、操作者がスイッチ６ｂと６ｄの同時押下で実行されるパターンを選択するために、操作キー２のスイッチ６ｂ上とスイッチ６ｄ上にはさまれた部分を押す斜め押下の場合、スイッチ６ｂ上とスイッチ６ｄ上の中間部１４が押されると、操作キー２は初めスイッチ６ｂに接する点及び６ｄに接する点を支点として押された部分が押し下げられ、スイッチ６ａ上とスイッチ６ｃ上の中間部分が押し上げられるように傾く。このとき、操作キー２外周側面の突起部１６ａ、１６ｃが筐体１に接近する。さらに押されると、突起部１６ａ及び１６ｃがそれぞれ凹曲面１７ａ、１７ｃに接触する。これは、操作キー２がスイッチ６ｂに接する点及び６ｄに接する点を支点として傾くため、通常押下より突起部１６ａ、１６ｃが上（−ｚ軸方向）へ持ち上げられること、及びその曲面の形状により、突起部１６ａ、１６ｃが斜めに持ちあがる場合には凹曲面１７ａ、１７ｃと接触することによる。これにより、操作キー２にスイッチ押下方向の力が加わり、支点となっていたスイッチ６ｂと６ｄがそれぞれ突起部７ｂ、７ｄによって押下され、ドーム板１８の許容抗力を超えた時ドーム板１８がつぶれることにより、スイッチ検出部がスイッチ６ｂと６ｄの同時押下（スイッチオン）を検出する。
【００３１】
一方、操作者がスイッチ６ｂ上とスイッチ６ｄ上の中間点よりスイッチ６ｂ側の操作面を押した場合、操作キー２は初めスイッチ６ｂに接する点及び６ｄに接する点を支点として、スイッチ６ａ上とスイッチ６ｃ上の中間部分が押し上げられるように傾く。このとき、支点となっているスイッチ６ｂには６ｄより強い押下方向の力が加わるが、ドーム板１８の許容抗力を超えておらずスイッチ６ｂはオンされない。さらに操作面が押されると、外周側面の突起部１６ａ、１６ｃが凹曲面１７ａ、１７ｃに接し、接触荷重が分散され、突起部１６ａと突起部１６ｃに均等なスイッチ押下方向の力が加わる。これにより、前述と同様、スイッチ６ｂと６ｄがそれぞれ突起部７ｂ、７ｄによって均等に押下され、ドーム板１８の許容抗力を超えた時ドーム板１８がつぶれることにより、スイッチ検出部が同時押下（スイッチオン）を検出する。
【００３２】
以上の構成により、同時押下したい隣り合う２個のスイッチの中間点を押下したときはもとより、当該中間点からずれた操作面を押下した場合にも、スイッチ２個の同時押下を検出することが可能となり、操作者に対し使い勝手のよいキースイッチを実現できる。
【００３３】
また、突起部１６ａと重なる筐体１の表面近傍部分が押された場合、筐体１がたわみ端部が突起部１６ａと接近するが、端部には凹曲面１７ａが形成されているため、突起部１６ａと接触しにくく、スイッチ６ａが誤操作されない。これにより、誤って筐体１が押された場合のスイッチ６の誤動作を防ぐことが可能となる。
【００３４】
【発明の効果】
以上のように、この発明に係るキースイッチは、操作キーの外周側面にｎ個のスイッチそれぞれに対応したｎ個の外方へ突出した突起部を備え、この操作キーを設けるケース部材の端面に凹曲面を形成する構成にしたので、操作者によるスイッチの同時押下が容易で使い勝手がよく、かつケース部材を押すことによるスイッチの誤操作を防止できる。
【００３５】
また、この発明に係る電子機器は、操作キーの外周側面にｎ個のスイッチそれぞれに対応したｎ個の外方へ突出した突起部を備え、この操作キーを設ける筐体の端面に凹曲面を形成する構成にしたので、操作者によるスイッチの同時押下を誤りなく検出でき、かつ筐体を押すことによるスイッチの誤動作を防止できる。
【図面の簡単な説明】
【図１】この発明に係るキースイッチを備えた携帯電話機を示す斜視図である。
【図２】この発明に係るキースイッチ構造を示す分解斜視図である。
【図３】この発明の実施の形態１における操作キー及びその周辺部を示した正面図及び側面図である。
【図４】この発明の実施の形態１における通常押下時の操作キー及びその周辺部を示した正面図及び側面図である。
【図５】この発明の実施の形態１における斜め押下時の操作キー及びその周辺部を示した正面図及び側面図である。
【図６】この発明の実施の形態１における筐体押下時の操作キー及びその周辺部を示した正面図及び側面図である。
【図７】この発明の実施の形態２における操作キー及びその周辺部を示した正面図及び側面図である。
【図８】従来のキースイッチにおける操作キー及びその周辺部を示した正面図及び側面図である。
【図９】従来のキースイッチにおける筐体押下時の操作キー及びその周辺部を示した正面図及び側面図である。
【符号の説明】
１　筐体（ケース部材）
１ａ　窓
２　操作キー
３　表示部
６ａ〜６ｄ　スイッチ
８ａ〜８ｄ　庇部
９ａ〜９ｄ　突起部
１０ａ〜１０ｄ　凹曲面
１６ａ〜１６ｄ　突起部
１７ａ〜１７ｄ　凹曲面
３１　筐体
３２　操作キー
３６ａ〜３６ｄ　スイッチ
３８ａ〜３８ｄ　突起部
【図１】
2004055188.tif 000003
【図２】
2004055188.tif 000004
【図３】
2004055188.tif 000005
【図４】
2004055188.tif 000006
【図５】
2004055188.tif 000007
【図６】
2004055188.tif 000008
【図７】
2004055188.tif 000009
【図８】
2004055188.tif 000010
【図９】
2004055188.tif 000011